(57)【要約】【課題】  ガイドレールに吊り掛けて左右方向にスライド開閉させ得るようにした吊り扉支持構造において、吊り扉側にローラを単にガイドレールに乗せ掛けただけのものでは、該ローラがガイドレールから外れるおそれがある。【解決手段】    建物の出入口３の上部に横設したガイドレール２には、上面側に上レール２１と下面側に下レール２２とを設け、吊り扉１には、上レール２１の上部に乗せる上ローラ１１と下レール２２に下方から衝合する下ローラ１２とを取付けているとともに、ガイドレール２を上ローラ１１と下ローラ１２で上下から挟持した状態で吊り扉１をスライドさせるようにしていることにより、比較的簡単な構成で吊り扉１を確実に且つ安定状態で支持できるようにした。【選択図】      図３
2006132087.tif 000002
【特許請求の範囲】
【請求項１】
建物の出入口（３）の上部に横設したガイドレール（２）に支持されて左右方向にスライド開閉する吊り扉の支持構造であって、
前記ガイドレール（２）には、上面側に上レール（２１）と下面側に下レール（２２）とを設け、
吊り扉（１）には、前記上レール（２１）の上部に乗せ掛ける上ローラ（１１，１１）と前記下レール（２２）に下方から衝合する下ローラ（１２，１２）とを取付けているとともに、
前記ガイドレール（２）を前記上ローラ（１１，１１）と前記下ローラ（１２，１２）で上下から挟持した状態で吊り扉（１）をスライドさせるようにしている、
ことを特徴とする吊り扉支持構造。
【発明の詳細な説明】
【技術分野】
【０００１】
本願発明は、左右方向にスライド開閉する吊り扉の支持構造に関し、特にガイドレールに沿って転動する吊り扉のローラが外れるのを防止し得るようにした吊り扉支持構造に関するものである。
【背景技術】
【０００２】
倉庫等の建物の出入口には、左右方向にスライド開閉する吊り扉を設けたものがある。この種の吊り扉支持構造の一般例として、図５に示すものがあるが、この図５の吊り扉支持構造では、出入口３上の壁面４にガイドレール２を水平方向に向けて固定し、吊り扉１の上部に取付けたローラ１１をレール部２１上に乗せ掛けて、吊り扉１をレール部２１に沿ってスライド開閉させ得るようにしている。
【０００３】
ところで、図５のようにローラ１１を単にレール部２１上に乗せ掛けただけの吊り扉支持構造では、該ローラ１１がレール部２１から外れて吊り扉１が脱落する危険がある。
【０００４】
又、吊り扉に取付けたローラがレール部から脱落するのを防止し得るようにした公知例として、例えば特許文献１（特開平７−２３８７３５号公報）に示されるものがあるが、この特許文献１の吊り扉支持構造は、概略図６に示したものである。
【０００５】
この図６の吊り扉支持構造は、壁面４に沿ってガイドレール２を水平方向に向けて固定し、吊り扉１の上部に取付けたローラ１１をガイドレール２のレール部２１上に乗せ掛けるとともに、ローラ走行部の上部にローラ１１がレール部２１から脱落するのを防止するための別部材からなる脱落防止板８を設けている。この脱落防止板８は、その先端部８ａがローラ１１上に所定小幅だけ被さるように設置されている。又、この脱落防止板８は、固定金具９及びビスを使用してガイドレール２に固定している。
【０００６】
【特許文献１】特開平７−２３８７３５号公報
【発明の開示】
【発明が解決しようとする課題】
【０００７】
ところで、図６に示す公知の吊り扉支持構造では、レール部２１上を走行するローラ１１上に脱落防止板８を取付けているが、次のような問題があった。
【０００８】
(１)  脱落防止板８は、ローラ１１の上面に対して若干隙間ではあるが離間しているので、通常時には該ローラ１１を保持する機能がなく、吊り扉１がガタついたり前後に揺動したりする。
【０００９】
(２)  脱落防止板８の先端部８ａがローラ１１上に被されているが、その被されている幅は小幅であるので、吊り扉１が大きく傾動するとローラ１１が鎖線図示（符号１１′）するように脱落防止板８から外れるおそれがある。
【００１０】
(３)  脱落防止板８が別部材であり、且つ固定金具９を用いて固定されているので、構造が複雑である。
【００１１】
そこで、本願発明は、上記した各従来例の吊り扉支持構造の問題点に鑑み、比較的簡単な構成でローラの脱落を確実に防止でき、且つ吊り扉がガタついたり前後に揺動したりするのを防止できるようにした吊り扉支持構造を提供することを目的としている。
【課題を解決するための手段】
【００１２】
本願発明は、上記課題を解決するための手段として次の構成を有している。尚、本願発明は、建物の出入口の上部に横設したガイドレールに支持されて左右方向にスライド開閉する吊り扉の支持構造を対象にしている。
【００１３】
そして、本願の吊り扉支持構造は、次のように構成されている。
【００１４】
先ず、ガイドレールには、その上面側に上レールと下面側に下レールとをそれぞれ設けている。即ち、上レールと下レールとは、１本のガイドレールの上下に形成している。
【００１５】
又、吊り扉には、上レールの上部に乗せ掛ける上ローラと下レールに下方から衝合する下ローラとを取付けている。上ローラと下ローラは、それぞれ複数個づつ（通常は２個ずつ）設けられている。
【００１６】
そして、この吊り扉支持構造では、ガイドレールを上ローラと下ローラで上下から挟持した状態で吊り扉をガイドレールに沿ってスライドさせるようにしている。
【発明の効果】
【００１７】
本願発明の吊り扉支持構造では、次のような効果がある。
【００１８】
先ず、ガイドレールを上ローラと下ローラで上下から挟持しているので、ガイドレールを上下各ローラで確実に保持できる。従って、吊り扉がガタついたり前後に揺動しにくくなり、且つ各ローラがガイドレールから外れる（吊り扉が脱落する）おそれがなくなるという効果がある。
【００１９】
又、１本のガイドレールに、上ローラ乗せ掛け用の上レールと下ローラ衝合用の下レールとをそれぞれ形成しているので、１本のガイドレールを上下各ローラのガイドとして共用でき、上下両ローラを用いたものであってもレール側の部品点数を少なくできる（１本のガイドレールでよいので構成が簡単になる）という効果がある。
【実施例】
【００２０】
図１〜図４を参照して、本願実施例の吊り扉支持構造を説明すると、この実施例の吊り扉支持構造は、例えば冷蔵倉庫のような気密保持が必要な建物の出入口を開閉するのに適したものである。尚、本願の吊り扉支持構造は、気密保持の必要がない通常の出入口開閉用にも使用できる。
【００２１】
この実施例の吊り扉支持構造は、建物の出入口３の上部の壁面４に所定長さの１本のガイドレール２を横設するとともに、該ガイドレール２に吊り扉１を吊持させた状態で該吊り扉１を左右にスライド開閉させ得るように構成されている。尚、図１〜図３は、閉扉状態を示し、図４は開扉状態を示している。
【００２２】
ガイドレール２は、レール取付台２０を介して横向き水平姿勢で壁面（室内側の壁面）４に固定されている。そして、このガイドレール２には、図３に拡大図示するように、上面側に上レール２１と下面側に下レール２２とを形成している。尚、この実施例では、該ガイドレール２は、図３に示すように、その下面側（下レール２２側）が壁面４側に近ずくような傾斜状態で設置されている。
【００２３】
吊り扉１には、その左右各端部の上部にそれぞれローラ取付板１０，１０が立設されており、該各ローラ取付板１０，１０の側面にそれぞれ上ローラ１１と下ローラ１２を１個ずつ取付けている。従って、吊り扉１の上部各端位置には、上ローラ１１と下ローラ１２を１組とする組ローラがそれぞれ設けられている。尚、この実施例では、上ローラ１１，１１が大径（例えば直径が６０mm）で下ローラ１２，１２が小径（例えば直径が２５mm）のものを使用している。
【００２４】
そして、この吊り扉１は、ガイドレール２に対して、各上ローラ１１，１１を上レール２１上に乗せ掛ける一方、各下ローラ１２，１２を下レール２２の下面に衝合させた状態で支持させている。従って、吊り扉１は、各組の上ローラ１１と下ローラ１２とでそれぞれガイドレール２を上下から挟持した状態で支持されている。尚、上下の各ローラ１１，１２は、中央部外周に凹溝を形成したものを使用し、該各凹溝内にそれぞれ上レール２１及び下レール２２を嵌合させているので、上下各ローラ１１，１２が上レール２１及び下レール２２に対して前後方向に位置ずれすることがない。
【００２５】
そして、この吊り扉支持構造では、上下各ローラ１１，１２（２組ある）がガイドレール２を上下から挟持しているので、上ローラ１１，１１がガイドレール２（上レール２１）から外れることがなく、さらに吊り扉１が上下及び前後にガタつくことがない。又、吊り扉１は、図１に示す閉扉位置と図４に示す開扉位置との間で左右にスライドさせ得るようになっているが、該吊り扉１の開閉時には、上下各ローラ１１，１２（２組ある）がガイドレール２を上下から挟持した状態で移動するので、吊り扉１を安定した姿勢でスライドさせることができる。又、ガイドレール２は、１本で上ローラ１１と下ローラ１２の各ガイドに共用しているので、上下のローラ１１，１２を使用したものであっても、レール部材の部品点数を少なくできる。
【００２６】
この実施例の吊り扉支持構造では、図１〜図３に示す閉扉状態において吊り扉１で出入口３を密閉し得るようになっている。具体的には、次のように構成されている。
【００２７】
先ず、出入口３の開口縁部（上辺部と左右各側辺部）の室内側壁面には、図２及び図３に示すように、それぞれシール材５，５，５を取付けている。この出入口開口縁部の各シール材５は、コ形に連続しており、且つ吊り扉１の外周枠体に対応する形状に配置されている。又、吊り扉１の底面には、閉扉時（図１）に地面Ｇに接地するシール材１３が取付けられている。
【００２８】
他方、ガイドレール２は、符号２Ａ，２Ｂ部分で、それぞれ閉扉側に向けて僅かに下降傾斜（図１及び図４参照）しているとともに壁面４側に近接する方向に向けて僅かに傾斜している。
【００２９】
そして、図４に示す開扉状態では、吊り扉１がガイドレール２の高位置側に位置していて、吊り扉下端部のシール材１３が地面Ｇから僅かに離間しており、且つ吊り扉１がガイドレール２の壁面離間側（図２の右側部分）に位置していて、図示していないが壁面４から僅かに離間している。他方、図１及び図２に示す閉扉状態では、吊り扉１がガイドレール２の低位置側に位置していて、吊り扉下端部のシール材１３が地面Ｇに接地する（図１）とともに、吊り扉１がガイドレール２の壁面近接側に位置していて、吊り扉１の外周枠体が壁面４の各シール材５（上辺部と左右各側辺部の三方にある）に接触するようになる。従って、閉扉状態では、出入口３の開口縁部を吊り扉１で気密的に閉止できる。
【図面の簡単な説明】
【００３０】
【図１】本願実施例の吊り扉支持構造の閉扉状態の正面図である。
【図２】図１の吊り扉支持構造の平面図である。
【図３】図１のIII−III拡大断面図である。
【図４】図１の吊り扉支持構造の開扉状態の正面図である。
【図５】従来の一般的な吊り扉支持構造の一部断面図である。
【図６】公知（特許文献１）の吊り扉支持構造の一部断面図である。
【符号の説明】
【００３１】
１は吊り扉、２はガイドレール、３は出入口、４は壁面、１１は上ローラ、１２は下ローラ、２１は上レール、２２は下レールである。
【図１】
2006132087.tif 000003
【図２】
2006132087.tif 000004
【図３】
2006132087.tif 000005
【図４】
2006132087.tif 000006
【図５】
2006132087.tif 000007
【図６】
2006132087.tif 000008